(57)【要約】【課題】  容易にフィルタを着脱可能にする一方、油煙吸引時にガタつくことがないようにフィルタを確実に安定させて、異音の発生を抑え、かつ騒音値の低減をはかる。【解決手段】  油分を捕獲するフィルタを着脱可能に備えるレンジフード１において、弾性を有するフィルタ５０と、フィルタの一の端部５２を支持する第１支持部２３と、一の端部と対向する他の端部５３を支持する第２支持部２４と、フィルタを押圧する押圧部２５とを備え、フィルタ５０は、押圧部２５がフィルタを押圧することで撓った状態で備えられるレンジフード。【選択図】  図４
2015098951.tif 000002
【特許請求の範囲】
【請求項１】
油分を捕獲するフィルタを着脱可能に備えるレンジフードにおいて、
弾性を有するフィルタと、
前記フィルタの一の端部を支持する第１支持部と、
前記一の端部と対向する他の端部を支持する第２支持部と、
前記フィルタを押圧する押圧部と、
を備え、
前記フィルタは、前記押圧部が前記フィルタを押圧することで撓った状態で備えられる、
レンジフード。
【請求項２】
前記押圧部は、前記第１支持部と前記第２支持部との間に位置し、前記第１支持部および前記第２支持部が支持する方向とは逆の方向に押圧することで撓った状態で備えられることを特徴とする請求項１に記載のレンジフード。
【請求項３】
前記押圧部は、前記一の端部に位置することを特徴とする請求項２に記載のレンジフード。
【請求項４】
前記押圧部は、前記一の端部および前記他の端部において、前記第１支持部および前記第２支持部位置より外側に位置し、両前記押圧部が前記フィルタを押圧する方向は互いに対向する方向であって、前記フィルタの中心方向に押圧することで撓った状態で備えられることを特徴とする請求項１に記載のレンジフード。
【請求項５】
前記フィルタは、空気の流れを通過させる孔を備え、フィルタ全体が弾性を有した材料により作製され、前記フィルタ全体の弾性により撓った状態で備えられることを特徴とする請求項１乃至４のいずれかに記載のレンジフード。
【請求項６】
前記フィルタは、枠部と、該枠部以外の開口部に設けられ空気の流れを通過させる油捕集部材とを備え、前記枠部が弾性を有する材料により作製され、前記枠部の弾性により撓った状態で備えられることを特徴とする請求項１乃至４のいずれかに記載のレンジフード。
【発明の詳細な説明】
【技術分野】
【０００１】
本発明は、着脱可能なフィルタを備えるレンジフードに関する。
【背景技術】
【０００２】
近年、キッチン等に設置されるレンジフードは、調理によって発生した油煙等をファンによってフード内に吸入し、吸入した油煙等を屋外等へ排出するレンジフードが種々提案されている。
【０００３】
例えば、特許文献１には、フードとファンを備え、そのフードの内部にフィルタを設け、油煙吸入時には油煙に含まれる油脂分をフィルタで分離捕獲した後に屋外に排気するレンジフードが記載されている。フィルタは油脂分が付着するため定期的に清掃する必要があり、ゆえにフィルタは着脱可能に設けられている。
【先行技術文献】
【特許文献】
【０００４】
【特許文献１】特開２０００−０３９１９７号公報
【発明の概要】
【発明が解決しようとする課題】
【０００５】
しかしながら、従来の構成は、フィルタを所定の位置で保持する保持具とフィルタの外枠との間にクリアランスを設けてフィルタを着脱可能としていたため、送風機が稼働して油煙を吸入する際には、保持具と外枠との間のクリアランスによってフィルタが安定せず、フィルタが動き、異音が発生し、さらに騒音値が上がる場合があった。
【０００６】
そこで、本発明は、容易にフィルタを着脱可能にする一方、油煙吸引時にガタつくことがないようにフィルタを確実に安定させて、異音の発生を抑え、かつ騒音値の低減をはかることができるレンジフードを提供する。
【課題を解決するための手段】
【０００７】
上記課題を解決するために、油分を捕獲するフィルタを着脱可能に備えるレンジフードにおいて、弾性を有するフィルタと、そのフィルタの一の端部を支持する第１支持部と、一の端部と対向する他の端部を支持する第２支持部と、フィルタを押圧する押圧部と、を備え、フィルタは、押圧部がフィルタを押圧することで撓った状態で備えられるレンジフードが提供される。
これによれば、弾性のあるフィルタを撓った状態で備えることで、その復元力により、油煙吸引時にガタつくことがないようにフィルタを確実に安定させて、異音の発生を抑え、かつ騒音値の低減をはかったレンジフードを提供することができる。
【０００８】
さらに、押圧部は、第１支持部と第２支持部との間に位置し、第１支持部および第２支持部が支持する方向とは逆の方向に押圧することで撓った状態で備えられることを特徴としてもよい。
これによれば、２つの支持部の間でフィルタを押圧し撓った状態で備えることで、その復元力により、油煙吸引時にガタつくことがないようにフィルタを確実に安定させて、異音の発生を抑え、かつ騒音値を低減させることができる。
【０００９】
さらに、押圧部は、一の端部に位置することを特徴としてもよい。
これによれば、２つの支持部の間でかつ端部でフィルタを押圧し撓った状態で備えることで、その復元力により、油煙吸引時にガタつくことがないようにフィルタを確実に安定させて、異音の発生を抑え、かつ騒音値を低減させることができる。
【００１０】
さらに、押圧部は、一の端部および他の端部において、第１支持部および第２支持部位置より外側に位置し、両押圧部がフィルタを押圧する方向は互いに対向する方向であって、フィルタの中心方向に押圧することで撓った状態で備えられることを特徴としてもよい。
これによれば、フィルタの両端部から中央方向へ押圧し撓った状態で備えることで、その復元力により、油煙吸引時にガタつくことがないようにフィルタを確実に安定させて、異音の発生を抑え、かつ騒音値を低減させることができる。
【００１１】
さらに、フィルタは、空気の流れを通過させる孔を備え、フィルタ全体が弾性を有した材料により作製され、フィルタ全体の弾性により撓った状態で備えられることを特徴としてもよい。
これによれば、全体が弾性を有した材料により作製されたフィルタを押圧し撓った状態で備えることで、その復元力により、油煙吸引時にガタつくことがないようにフィルタを確実に安定させて、異音の発生を抑え、かつ騒音値を低減させることができる。
【００１２】
さらに、フィルタは、枠部と、その枠部以外の開口部に設けられ空気の流れを通過させる油捕集部材とを備え、枠部が弾性を有する材料により作製され、枠部の弾性により撓った状態で備えられることを特徴としてもよい。
これによれば、一部に弾性を有さない油捕集部材を備えたフィルタであっても、弾性を有する枠部を備えるフィルタを押圧し撓った状態で備えることで、その復元力により、油煙吸引時にガタつくことがないようにフィルタを確実に安定させて、異音の発生を抑え、かつ騒音値を低減させることができる。
【発明の効果】
【００１３】
以上説明したように、本発明によれば、容易にフィルタを着脱可能にする一方、油煙吸引時にガタつくことがないようにフィルタを確実に安定させて、異音の発生を抑え、かつ騒音値の低減をはかることができるレンジフードを提供することができる。
【図面の簡単な説明】
【００１４】
【図１】本発明に係る第一実施例におけるレンジフードの六面図。（Ａ）正面図、（Ｂ）平面図、（Ｃ）底面図、（Ｄ）右側面図。
【図２】本発明に係る第一実施例における、（Ａ）レンジフードを右下から見た斜視図、（Ｂ）レンジフードを右下から見た分解斜視図。
【図３】本発明に係る第一実施例におけるレンジフードの、（Ａ）整流板を取り外した場合の底面図、（Ｂ）フィルタの底面図。
【図４】本発明に係る第一実施例におけるレンジフードの、（Ａ）断面図（図１のＡ−Ａ断面）、（Ｂ）支持部付近（（Ａ）におけるＺ０部分）を示す拡大断面図。
【図５】本発明に係る第二実施例におけるレンジフードの断面図（図１のＡ−Ａ断面と同じ位置の断面）。（Ａ）フィルタを設けていない場合、（Ｂ）フィルタを差し込む場合、（Ｃ）フィルタを設けた場合。
【図６】本発明に係る第二実施例におけるレンジフードの支持部付近を示す拡大断面図（図１のＡ−Ａ断面と同じ位置の断面）。（Ａ）フィルタを設けていない場合の第１凹状保持部付近（図５におけるＺ１部分）を示す図、（Ｂ）フィルタを設けていない場合の第２凹状保持部付近（図５におけるＺ２部分）を示す図、（Ｃ）フィルタを設けた場合の第１凹状保持部付近（図５におけるＺ１部分）を示す図、（Ｄ）フィルタを設けた場合の第２凹状保持部付近（図５におけるＺ２部分）を示す図。
【図７】本発明に係る第二実施例（変形例）におけるレンジフードの、（Ａ）断面図（図１のＡ−Ａ断面と同じ位置の断面）、（Ｂ）フィルタの斜視図。
【図８】本発明に係る第三実施例におけるレンジフードの断面図（図１のＡ−Ａ断面と同じ位置の断面）。
【図９】本発明に係る第三実施例におけるレンジフードの支持部付近を示す拡大断面図（図１のＡ−Ａ断面と同じ位置の断面）。（Ａ）フィルタを設けた場合の第１凹状保持部付近（図８におけるＺ３部分）を示す図、（Ｂ）フィルタを設けた場合の第２凹状保持部付近（図８におけるＺ４部分）を示す図。
【発明を実施するための形態】
【００１５】
以下では、図面を参照しながら、本発明に係る各実施例について説明する。
＜第一実施例＞
図１〜４を参照して、本発明に係る第一実施例のレンジフード１を説明する。レンジフード１は、調理器の上方に設けられ、下方または周囲で行われる調理によって発生する湯気や油煙等を含む空気を捕集するための、上方に凹状の内面パネル３０を内面に有する薄型のフード２を有する。内面パネル３０は内面パネル開口部３１を有し、吸込口パネル４０がその内面パネル開口部３１に気密に取り付けられる。
【００１６】
そして、吸込口パネル４０は吸込口４１を有し、油煙等を含む空気をその吸込口４１から吸込み、煙道７内に引込み、その煙道７内に配置されるフィルタ５０が油煙等を空気から取り除く。また、フード２の下方に設けられ、内面パネル３０と対向する整流板５を備え、整流板５は、その周囲に、内面パネル３０との間に空気を吸い込む隙間を形成する。なお、吸込口４１は、吸込口パネル４０において、連通口６と一致する位置に適宜設けられる。
【００１７】
フード２は、吸込口パネルの吸込口４１と適合した連通口６付近で、排気ダクト３に接続された送風機ボックス（換気装置）４と連結されている。送風機ボックス４は、連通口６と連通する煙道７と、ファン吸込口２２で煙道７と連通する内部に空気の流れを発生させる送風機２１を有するファンケーシング２０を有する。従って、送風機２１が稼働すると吸込口４１は負圧となり、内面パネル３０の下方の空気は吸込口４１を通して吸入され、煙道７とファンケーシング２０を経由して排気ダクト３を通して外部に排出される。なお、ファン吸込口２２には、空気を低い抵抗でスムースに吸込むようにガイドするため、空気の流れに接する部分にラッパ口形状を有するベルマウス１０を備える。
【００１８】
また、このレンジフード１では、送風機ボックス（換気装置）４が背面側に偏心し、フード２と送風機ボックス４は背面で面一となっており、背面側で壁に取り付けられるタイプである。なお、換気装置とは、本実施例においては送風機ボックス４として記載するが、背面側で壁に取り付けられるタイプ以外のレンジフードは言うまでもなく、食卓の上方に備えられ換気機能と照明機能とを備えた装置、浴室換気扇、浴室換気乾燥機、天井換気扇、空気清浄機などの装置、その他の送風機を備える装置を含むものである。
【００１９】
フィルタ５０は、空気の流れを通過させる孔５１を多数有し、油分を含んだ空気がこの孔５１を通過する際に、油分がフィルタ面に衝突することで油分を捕獲する。フィルタ５０は、フィルタ全体が弾性を有した材料により作製されることで、弾性を有している。例えば、フィルタ５０は、全体が金属を材料として作製されたスロットフィルタである。
【００２０】
フィルタ５０は、油分が付着した場合清掃を行うために、煙道７内に着脱可能に設けられる。フィルタ５０は、その下端部５３を吸込口４１の背面側の近傍に、下端部５３と対向するフィルタ５０の上端部５２を煙道７の正面側内側面に当接して、両側端は煙道７の側面側内側面に当接して、備えられる。従って、フィルタ５０は、吸込口４１から送風機２１へ向かう空気の流れの全量が孔５１を通って通過するように配置される。
【００２１】
フィルタ５０の下端部５３は、吸込口４１の背面側の近傍に設けられた凹状保持部２７により保持され支持されている。また、フィルタ５０の上端部５２は、煙道７の正面側内側面に当接して支持されている。さらに詳細に説明すれば、凹状保持部２７の底部は、フィルタ５０の下端部５３の端面を支持し、凹状保持部２７の正面側内側面である第２支持部２４は、傾斜して設けられるフィルタ５０の正面側フィルタ面を支持する。また、フィルタ５０の上端部５２が煙道７の正面側内側面に当接する部分である第１支持部２３は、傾斜して設けられるフィルタ５０の正面側フィルタ面と端面との角を支持する。
【００２２】
また、押圧部２５は、第１支持部２３と第２支持部２４との間に位置し、煙道７の側面側内側面に凸状に備えられる。より正確には、押圧部２５は、フィルタ５０が煙道７に取り付けられた時、凸状に盛り上がった押圧部２５の段部がフィルタ５０の背面側の両側端近傍を正面側へ押圧した状態となる位置に備えられる。即ち、フィルタ５０を背面側の面を押圧する押圧部２５の段部は、第１支持部２３と第２支持部２４がフィルタ５０の正面側の面を支持した点を含む平面よりわずかに正面側に位置する（この場合、フィルタ５０の厚さは無視するものとする）。押圧部２５がかかる位置に備えられることで、フィルタ５０は、押圧部２５に押圧されることで撓った状態で備えられることになる。
【００２３】
図４に示すように、第１支持部２３は、フィルタ５０にほぼ垂直な方向（図視右上方向）に力Ｆ１でフィルタ５０を支持し、第２支持部２４は、フィルタ５０にほぼ垂直な方向（図視右上方向）に力Ｆ２でフィルタ５０を支持する。また、押圧部２５は、第１支持部２３および第２支持部２４が支持する方向とは逆の方向（図視左下方向）の力Ｆ３で押圧する。フィルタ５０は弾性を有するので、第１支持部２３および第２支持部２４と押圧部２５から与えられる力Ｆ１、Ｆ２およびＦ３により撓い、弾性変形を起こす。
【００２４】
弾性変形を起こしたフィルタ５０は、その復元力（弾性力）により、逆に第１支持部２３および第２支持部２４と押圧部２５を押し返そうとしてしっかりと固定される。従って、フィルタ５０は、自らのその復元力により、油煙吸引時であってもガタつくことがないように安定させて設けることができ、異音の発生を抑え、かつ騒音値を低減させることができる。なお、押圧部２５によりフィルタ５０を押圧する力は、塑性変形を起こすことのない弾性変形の範囲内の力である。
【００２５】
レンジフード１の使用者は、フィルタ５０を煙道７に装着する場合、フィルタつまみ５６を手でつまむなどし、例えば、煙道７の正面側内側面に上端部５２の角を摺動させつつ、煙道７の奥の方へ（図視上方へ）フィルタ５０を徐々に押し上げる。フィルタ５０の下端部５３が凹状保持部２７の正面側の上端より上の位置に来た時に、使用者は、凹状保持部２７の方（背面側の方）へフィルタつまみ５６を介してフィルタ５０を押す。そうすると、下端部５３付近のフィルタ５０の背面側の面が凹状保持部２７の背面側内側面に当接する前に、フィルタ５０の両側端は、押圧部２５の段部に当接する。
【００２６】
その状態からさらに、使用者がフィルタ５０の復元力（弾性力）に抗して凹状保持部２７の方へフィルタつまみ５６を介してフィルタ５０を押すと、フィルタ５０は正面側（図視左下）に凸となるように撓みながら、下端部５３付近のフィルタ５０の背面側の面が凹状保持部２７の背面側内側面に当接する。そして、使用者がその状態からフィルタつまみ５６を介してフィルタ５０を、煙道７の正面側内側面に上端部５２の角を、押圧部２５の段部にフィルタ５０の両側端を摺動させつつ、下端部５３の端面が凹状保持部２７の底部に当接するまで下に引き下げる。
【００２７】
その後、使用者がフィルタつまみ５６から手を離すと、フィルタ５０の復元力により下端部５３は正面側へ戻ろうとするので、下端部５３付近のフィルタ５０の正面側フィルタ面は凹状保持部２７の正面側内側面に当接する。この状態で、煙道７の正面側内側面上の上端部５２の角と当接している部分が第１支持部２３となり、凹状保持部２７の正面側内側面上のフィルタ５０の正面側フィルタ面と当接している部分が第２支持部２４となる。
【００２８】
フィルタ５０を煙道７から取り外す場合、使用者は、上記装着手順の逆の手順を採る。使用者がフィルタ５０の復元力（弾性力）に抗してレンジフード１の背面側の方へフィルタつまみ５６を介してフィルタ５０を押すと、下端部５３付近のフィルタ５０の正面側フィルタ面は、凹状保持部２７の正面側内側面から離れる。そして、使用者がその状態から、煙道７の正面側内側面に上端部５２の角を、押圧部２５の段部にフィルタ５０の両側端を摺動させつつ、下端部５３の端面が凹状保持部２７の底部から離れるようにフィルタつまみ５６を介してフィルタ５０を上へ押し上げる。
【００２９】
フィルタ５０の下端部５３が凹状保持部２７の正面側の上端より上の位置に来た時に、使用者は、フィルタ５０の復元力に抗する力を緩めて、フィルタ５０の復元力に任せて、下端部５３が凹状保持部２７から離れる方（正面側の方）へフィルタ５０を徐々に戻す。徐々に戻していくと、フィルタ５０の両側端は、当接している押圧部２５の段部から当接を離れる。フィルタ５０の両側端が、押圧部２５の段部から離れた時に、フィルタ５０は撓った状態ではなくなり、フィルタ５０自体の復元力は無くなる。使用者は、その状態で、煙道７の奥の方から吸込口４１の方へ（図視下方へ）フィルタ５０を降ろして、取り外す。
【００３０】
上述したように、使用者は、フィルタを容易に着脱することができる。その一方、弾性のあるフィルタを撓った状態で備えることで、フィルタが元の状態に戻ろうとする復元力により、フィルタは押圧部と２つの支持部とで押さえられ、フィルタは安定的な固定を伴ってレンジフードに備えられることができる。
【００３１】
＜第二実施例＞
図５および６を参照して、本発明に係る第二実施例のレンジフード１Ａについて説明する。なお、重複記載を避けるために、上記実施例と異なるところを中心に述べる。レンジフード１Ａは、吸込口４１Ａの背面側の近傍に第２凹状保持部２７Ａを備えると共に、送風機ボックス４Ａの天板と煙道７Ａ正面側内側面との角部に第１凹状保持部２６Ａを備える。
【００３２】
フィルタ５０Ａの下端部５３Ａは、第２凹状保持部２７Ａにより保持され支持されており、また、フィルタ５０Ａの上端部５２Ａは、第１凹状保持部２６Ａにより保持され支持されている。さらに詳細に説明すれば、第２凹状保持部２７Ａの底部は、フィルタ５０Ａの下端部５３Ａの端面を支持し、第２凹状保持部２７Ａの正面側内側面である第２支持部２４Ａは、傾斜して設けられるフィルタ５０Ａの正面側フィルタ面を支持する。また、フィルタ５０Ａの上端部５２Ａは、図５（Ｂ）と（Ｃ）に示すように、第１凹状保持部２６Ａの凹部に差し込まれて保持される。そして、フィルタ５０Ａの上端部５２Ａが第１凹状保持部２６Ａの正面側内側面に当接する部分である第１支持部２３Ａは、傾斜して設けられるフィルタ５０の正面側フィルタ面と端面との角を支持する。
【００３３】
また、押圧部２５Ａは、第１凹状保持部２６Ａの背面側内側面の下端に位置し、送風機ボックス４Ａの天板の裏面に設けられた平板を折り曲げた角部として備えられる。より正確には、押圧部２５Ａは、フィルタ５０Ａが煙道７Ａに取り付けられた時、角部が押圧部２５Ａとしてフィルタ５０Ａの上端部５２Ａの近傍の背面側を正面側へ押圧した状態となる位置に備えられる。
【００３４】
即ち、押圧部２５Ａは、第１支持部２３Ａと第２支持部２４Ａとの間に位置し、フィルタ５０Ａの上端部５２Ａ近傍の背面側の面を押圧し、第１支持部２３Ａと第２支持部２４Ａがフィルタ５０Ａの正面側の面を支持した点を含む平面よりわずかに正面側に位置する（この場合、フィルタ５０Ａの厚さは無視するものとする）。押圧部２５Ａがかかる位置に備えられることで、フィルタ５０Ａは、押圧部２５Ａに押圧されることで撓った状態で備えられることになる。
なお、フィルタ５０Ａの厚さを考慮する場合は、押圧部２５Ａは、第１支持部２３Ａと第２支持部２４Ａがフィルタ５０Ａの正面側の面を支持した点を含む平面を背面側にフィルタ５０Ａの厚さ分の距離を平行移動した平面よりわずかに正面側に位置する。
【００３５】
なお、第一実施例に比べて、第１支持部２３Ａと押圧部２５Ａの距離が非常に短いので、本実施例においては、フィルタ５０Ａは、第１凹状保持部２６Ａにより上端部５２Ａにモーメントが与えられて撓った状態で備えられることになると言い換えても良く、押圧部２５Ａは、上端部５２Ａを押圧する位置に備えられる。
【００３６】
図６（Ｃ）および（Ｄ）に示すように、第１支持部２３Ａは、フィルタ５０Ａにほぼ垂直な方向（図視右上方向）に力Ｆ１でフィルタ５０Ａを支持し、第２支持部２４Ａは、フィルタ５０Ａにほぼ垂直な方向（図視右上方向）に力Ｆ２でフィルタ５０Ａを支持する。また、押圧部２５Ａは、第１支持部２３Ａおよび第２支持部２４Ａが支持する方向とは逆の方向（図視左下方向）の力Ｆ３で押圧する。フィルタ５０Ａは弾性を有するので、第１支持部２３Ａおよび第２支持部２４Ａと押圧部２５Ａから与えられる力Ｆ１、Ｆ２およびＦ３により撓い、弾性変形を起こす。
【００３７】
弾性変形を起こしたフィルタ５０Ａは、その復元力により、逆に第１支持部２３Ａおよび第２支持部２４Ａと押圧部２５Ａを押し返そうとしてしっかりと固定される。従って、フィルタ５０Ａは、自らのその復元力により、油煙吸引時であってもガタつくことがないように安定させて設けることができ、異音の発生を抑え、かつ騒音値を低減させることができる。なお、レンジフード１Ａは、第一実施例と同様の押圧部２５Ａ’を備えるが、この押圧部２５Ａ’は、上述した押圧部２５Ａがあれば無くても良い。押圧部２５Ａ’をさらに備え、２か所でフィルタ５０Ａを押圧することで、フィルタ５０Ａは、よりしっかりと固定される。
【００３８】
レンジフード１Ａの使用者は、フィルタ５０Ａを煙道７Ａに装着する場合、フィルタつまみ５６Ａを手でつまむなどし、例えば、煙道７Ａの正面側内側面に上端部５２Ａの角を摺動させつつ、煙道７Ａの奥の方へ（図視上方へ）フィルタ５０Ａを徐々に押し上げる。フィルタ５０Ａの上端部５２Ａが第１凹状保持部２６Ａの凹部に差し込まれ、フィルタ５０Ａの下端部５３Ａが第２凹状保持部２７Ａの正面側の上端より上の位置に来た時に、使用者は、第２凹状保持部２７Ａの方（背面側の方）へフィルタつまみ５６Ａを介してフィルタ５０Ａを押す。そうすると、下端部５３Ａ付近のフィルタ５０Ａの背面側の面が第２凹状保持部２７Ａの背面側内側面に当接する前に、フィルタ５０Ａの上端部５２の背面側の面は、押圧部２５Ａに当接する。
【００３９】
その状態からさらに、使用者がフィルタ５０Ａの復元力に抗して第２凹状保持部２７Ａの方へフィルタつまみ５６Ａを介してフィルタ５０Ａを押すと、フィルタ５０Ａは正面側（図視左下）に凸となるように撓みながら、フィルタ５０Ａの両側端は、押圧部２５Ａ’の段部に当接する。その状態からさらに、使用者がフィルタ５０Ａの復元力に抗して第２凹状保持部２７Ａの方へフィルタつまみ５６Ａを介してフィルタ５０Ａを押すと、下端部５３Ａ付近のフィルタ５０Ａの背面側の面が第２凹状保持部２７Ａの背面側内側面に当接する。
【００４０】
そして、使用者がその状態からフィルタつまみ５６Ａを介してフィルタ５０Ａを、煙道７Ａの正面側内側面に上端部５２Ａの角を、押圧部２５Ａにフィルタ５０の上端部５２Ａの背面側の面を摺動させつつ、下端部５３Ａの端面が第２凹状保持部２７Ａの底部に当接するまで下に引き下げる。その後の装着手順と取り外し手順は、ほぼ同様なので記載を省略する。
【００４１】
上述したように、使用者は、フィルタを容易に着脱することができる。その一方、弾性のあるフィルタを撓った状態で備えることで、フィルタが元の状態に戻ろうとする復元力（弾性力）により、フィルタは２つの押圧部と２つの支持部とで押さえられ、フィルタはより安定的な固定を伴ってレンジフードに備えられることができる。なお、第１支持部２３Ａと押圧部２５Ａとの距離が短く、かつ押圧部２５Ａとフィルタつまみ５６Ａとの距離が長いため容易に撓ませることができ、小さい力でフィルタ５０Ａを装着することができる。
【００４２】
＜第二実施例の変形例＞
図７を参照して、本発明に係る第二実施例の変形例であるレンジフード１Ａ’について説明する。なお、重複記載を避けるために、上記実施例と異なるところを中心に述べる。レンジフード１Ａ’は、フィルタ５０’以外の構成はレンジフード１Ａと同じである。レンジフード１Ａでは、第一実施例と同じフィルタ全体が弾性を有した材料により作製されたフィルタ５０Ａを備えていた。
【００４３】
本変形例におけるフィルタ５０Ａ’は、枠部５４Ａ’と、その枠部５４Ａ’以外の部分である開口部５５Ａ’を備え、枠部５４Ａ’が弾性を有する材料により作製されている。開口部５５Ａ’には、不燃紙等の複合材からなるフィルタ、多孔質フィルタやＨＥＰＡフィルタなどの空気の流れを通過させる油捕集部材を備える。フィルタ５０Ａ’は、油分を含んだ空気がこの油捕集部材を通過する際に油分を捕獲する。
【００４４】
枠部５４Ａ’は、第１支持部２３Ａおよび第２支持部２４Ａと、押圧部２５Ａおよび押圧部２５Ａ’から力を受けても、塑性変形を起こすことのない程度の弾性を有する。従って、フィルタ５０Ａ’は、枠部５４Ａ’の弾性により撓った状態で備えられる。これによれば、一部に弾性を有さない油捕集部材を備えたフィルタであっても、弾性を有する枠部を備えるフィルタを押圧し撓った状態で備えることで、その復元力により、油煙吸引時にガタつくことがないようにフィルタを確実に安定させて、異音の発生を抑え、かつ騒音値を低減させることができる。
【００４５】
＜第三実施例＞
図８および９を参照して、本発明に係る第三実施例のレンジフード１Ｂについて説明する。なお、重複記載を避けるために、上記実施例と異なるところを中心に述べる。レンジフード１Ｂは、吸込口４１Ｂの背面側の近傍に第２凹状保持部２７Ｂを備えると共に、煙道７Ｂの正面側内側面に第１凹状保持部２６Ｂを備える。
【００４６】
フィルタ５０Ｂは、空気の流れを通過させる孔５１Ｂ（図示せず）を多数有し、油分を含んだ空気がこの孔５１Ｂを通過する際に、油分がフィルタ面に衝突することで油分を捕獲する。フィルタ５０Ｂは、フィルタ全体が弾性を有した材料により作製されることで、弾性を有している。例えば、フィルタ５０Ｂは、全体が金属を材料として作製されたパンチングにより孔が開けられた平板からなるフィルタである。フィルタ５０Ｂは、平板からなるフィルタなので、その端面の厚さは小さい。
【００４７】
フィルタ５０Ｂの下端部５３Ｂは、第２凹状保持部２７Ｂにより保持され支持されており、また、フィルタ５０Ｂの上端部５２Ｂは、第１凹状保持部２６Ｂにより保持され支持されている。さらに詳細に説明すれば、第２凹状保持部２７Ｂの底部は、フィルタ５０Ｂの下端部５３Ｂの端面を押圧し、第２凹状保持部２７Ｂの正面側内側面である第２支持部２４Ｂは、傾斜して設けられるフィルタ５０Ｂの正面側フィルタ面を支持する。また、フィルタ５０Ｂの上端部５２Ｂは、第１凹状保持部２６Ｂの凹部に差し込まれて保持される。そして、第１凹状保持部２６Ｂの凹状底部（凹部の頂部）は、フィルタ５０Ｂの上端部５２Ｂの端面を押圧し、第１凹状保持部２６Ｂの正面側内側面である第１支持部２３Ｂは、フィルタ５０Ｂの正面側フィルタ面を支持する。
【００４８】
第２凹状保持部２７Ｂの底部と第１凹状保持部２６Ｂの凹状底部（凹部の頂部）の直線距離は、撓っていない状態のフィルタ５０Ｂの下端部５３Ｂの端面と上端部５２Ｂの端面の距離（フィルタ５０Ｂの縦長さ）より短い。そうすると、フィルタ５０Ｂが第１凹状保持部２６Ｂと第２凹状保持部２７Ｂにより保持され、煙道７Ｂに備えられた状態においては、第２凹状保持部２７Ｂの底部と第１凹状保持部２６Ｂの凹状底部が、それぞれ下端部５３Ｂの端面と上端部５２Ｂの端面を両側から中央方向に向かって押圧することとなる。
【００４９】
従って、本実施例においては、第１凹状保持部２６Ｂの底部と第２凹状保持部２７Ｂの凹状底部が、それぞれ押圧部２５１Ｂと押圧部２５２Ｂとなる。これら２つの押圧部は、フィルタ５０Ｂの上端部５２Ｂと下端部５３Ｂにおいて、第１支持部２３Ｂおよび第２支持部２４Ｂの位置より外側に位置し、両押圧部がフィルタ５０Ｂを押圧する方向は互いに対向する方向であって、フィルタ５０Ｂの中心方向に押圧する。その結果、フィルタ５０Ｂは、撓った状態で備えられることとなる。
【００５０】
図９に示すように、第１支持部２３Ｂは、フィルタ５０Ｂにほぼ垂直な方向（図視右上方向）に力Ｆ１でフィルタ５０Ｂを支持し、第２支持部２４Ｂは、フィルタ５０Ｂにほぼ垂直な方向（図視右上方向）に力Ｆ２でフィルタ５０Ｂを支持する。また、押圧部２５１Ｂと押圧部２５２Ｂは、フィルタ５０Ｂの中心方向へ互いに対向する方向の力Ｆ３１とＦ３２でそれぞれ押圧する。フィルタ５０Ｂは弾性を有するので、第１支持部２３Ｂおよび第２支持部２４Ｂと押圧部２５１Ｂ／２５２Ｂから与えられる力Ｆ１、Ｆ２およびＦ３１／Ｆ３２により撓い、弾性変形を起こす。
【００５１】
弾性変形を起こしたフィルタ５０Ｂは、その復元力により、逆に第１支持部２３Ｂおよび第２支持部２４Ｂと押圧部２５１Ｂ／２５２Ｂを押し返そうとしてしっかりと固定される。従って、フィルタ５０Ｂは、自らのその復元力により、油煙吸引時であってもガタつくことがないように安定させて設けることができ、異音の発生を抑え、かつ騒音値を低減させることができる。
【００５２】
レンジフード１Ｂの使用者は、フィルタ５０Ｂを煙道７Ｂに装着する場合、フィルタつまみ５６Ｂを手でつまむなどし、例えば、煙道７Ｂの正面側内側面に上端部５２Ｂの角を摺動させつつ、煙道７Ｂの奥の方へ（図視上方へ）フィルタ５０Ｂを徐々に押し上げる。フィルタ５０Ｂの上端部５２Ｂが第１凹状保持部２６Ｂの凹部に差し込まれ、上端部５２Ｂの端面が第１凹状保持部２６Ｂの凹状底部（凹部の頂部）に突き当たった時、フィルタ５０Ｂは平板からなるので、容易に正面側（図視左下）に凸となるように撓む。つまり、フィルタ５０Ｂは平板からなるため、周縁部をコの字状に形成したタイプのフィルタに比べ撓みやすく、ゆえに小さい力で容易に装着することができる。
【００５３】
その状態から、使用者がさらにフィルタ５０Ｂの復元力に抗して凹状保持部２７Ｂの方へフィルタつまみ５６Ｂを介してフィルタ５０Ｂを押すと、フィルタ５０Ｂの下端部５３Ｂは第２凹状保持部２７Ｂの正面側の上端より上の位置に来る。その時に、使用者は、第２凹状保持部２７Ｂの方（背面側の方）へフィルタつまみ５６Ｂを介してフィルタ５０Ｂをさらに押す。そうすると、下端部５３Ｂ付近のフィルタ５０Ｂの背面側の面と端面との角が第２凹状保持部２７Ｂの背面側内側面に当接する。
【００５４】
その後、使用者がフィルタつまみ５６Ｂを少し下方へ下ろし気味にして手を離すと、フィルタ５０Ｂの復元力により下端部５３Ｂは正面側やや下方へ戻ろうとするので、下端部５３Ｂ付近のフィルタ５０Ｂの正面側フィルタ面は凹状保持部２７Ｂの正面側内側面に当接する。この状態で第１凹状保持部２６Ｂの正面側内側面上の上端部５２Ｂと当接している部分が第１支持部２３Ｂとなり、第２凹状保持部２７Ｂの正面側内側面上の下端部５３Ｂと当接している部分が第２支持部２４Ｂとなる。また、第２凹状保持部２７Ｂの底部と第１凹状保持部２６Ｂの凹状底部の直線距離は、撓っていない状態のフィルタ５０Ｂの縦長さより短いので、第２凹状保持部２７Ｂの底部と第１凹状保持部２６Ｂの凹状底部が、両端面を押圧する押圧部２５１Ｂ／２５２Ｂとなる。
【００５５】
上述したように、使用者は、フィルタを容易に着脱することができる。その一方、弾性のあるフィルタを撓った状態で備えることで、フィルタが元の状態に戻ろうとする復元力（弾性力）により、フィルタは２つの押圧部と２つの支持部とで押さえられ、フィルタは安定的な固定を伴ってレンジフードに備えられることができる。
【００５６】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではない。
【符号の説明】
【００５７】
１      レンジフード
２      フード
３      排気ダクト
４      送風機ボックス（換気装置）
５      整流板
６      連通口
７      煙道
１０    ベルマウス
２０    ファンケーシング
２１    送風機
２２    ファン吸込口
２３    第１支持部
２４    第２支持部
２５    押圧部
２６    第１凹状保持部
２７    第２凹状保持部
３０    内面パネル
３１    内面パネル開口部
４０    吸込口パネル
４１    吸込口
５０    フィルタ
５１    孔
５２    フィルタの上端部
５３    フィルタの下端部
５４    枠部
５５    開口部
５６    フィルタつまみ
【図１】
2015098951.tif 000003
【図２】
2015098951.tif 000004
【図３】
2015098951.tif 000005
【図４】
2015098951.tif 000006
【図５】
2015098951.tif 000007
【図６】
2015098951.tif 000008
【図７】
2015098951.tif 000009
【図８】
2015098951.tif 000010
【図９】
2015098951.tif 000011